(57)【特許請求の範囲】
【請求項１】
放送機器によりＵＲＬ対応番号を含む音データと同期音データとを合成した合成音データを作成し、送信信号に含ませて送信するステップと、
音響出力機器により前記送信信号を受信して、前記送信信号を音響に変換し送出するステップと、
携帯端末により前記送出された音響を受け、前記合成音データを抽出し、抽出された合成音データから前記音データおよび前記同期音データを抽出し、抽出された前記同期音データのタイミングで前記抽出された音データから前記ＵＲＬ対応番号を抽出して送信するステップと、
ＵＲＬ管理装置により前記送信されたＵＲＬ対応番号を受信し、受信した前記ＵＲＬ対応番号に対応するＵＲＬを検出し送信するステップと、
前記携帯端末により前記送信されたＵＲＬを受信し、ＵＲＬのホームページへ接続するステップと、を含み、
前記音データは、前記ＵＲＬ対応番号から作成した送信データを、所定の音階との対応関係をもとに変換することで作成され、
前記同期音データは、前記音データに所定の音階を割り当てることで作成されることを特徴とするホームページ誘導方法。
【請求項２】
前記音響は可聴音である、請求項１に記載のホームページ誘導方法。
【請求項３】
ＵＲＬ対応番号を含む音データと同期音データとを合成した合成音データを作成し、送信信号に含ませて送信する放送機器と、
前記送信信号を受信し、受信した前記送信信号を音響に変換しスピーカで送出する音響出力機器と、
前記送出された音響をマイクロフォンで受け、受けた前記音響から前記合成音データを抽出し、抽出された合成音データから前記音データおよび前記同期音データを抽出し、抽出された前記同期音データのタイミングで前記抽出された音データから前記ＵＲＬ対応番号を抽出して送信する携帯端末と、
前記ＵＲＬ対応番号とＵＲＬとの対応関係を管理し、前記送信されたＵＲＬ対応番号を受信し、受信した前記ＵＲＬ対応番号に対応するＵＲＬを検出し送信するＵＲＬ管理装置とを備え、
前記携帯端末は、前記ＵＲＬ管理装置から送信されたＵＲＬを受信し、受信したＵＲＬのホームページへ接続し、
前記音データは、前記ＵＲＬ対応番号から作成した送信データを、所定の音階との対応関係をもとに変換することで作成され、
前記同期音データは、前記音データに所定の音階を割り当てることで作成されることを特徴とするホームページ誘導システム。
【請求項４】
前記放送機器は放送局に設けられ、
前記ＵＲＬ管理装置は、管理センターに設けられている、請求項３に記載のホームページ誘導システム。
【請求項５】
前記音響出力機器は、テレビまたはラジオであり、
前記携帯端末は、携帯電話機である、請求項４または５に記載のホームページ誘導システム。
【発明の詳細な説明】
【技術分野】
【０００１】
本発明は、音響通信方法および装置、特に携帯電話機をホームページに誘導するための音響通信方法および装置に関する。
【０００２】
本発明は、さらに、このような音響通信方法および装置を用いたホームページ誘導方法およびシステムに関する。
【背景技術】
【０００３】
商品を顧客に知らしめるために、ラジオＣＭ（コマーシャル），テレビＣＭで商品を紹介することが一般に行われている。限られた時間内ですべてを紹介することが難しいために、より詳細な商品内容を紹介する目的で、ホームページが作成されている。
【０００４】
現在、ラジオＣＭ，テレビＣＭでは、ホームページへ誘導するために、次のような種々の工夫がなされている。
【０００５】
（１）ラジオＣＭ，テレビＣＭ中に、「・・・で、検索！」と紹介し、パソコンにてホームページへ誘導する方法。
【０００６】
（２）テレビＣＭでは、ＱＲコード等の識別コードを表示し、カメラ付き携帯電話機で識別コードを撮影し、ホームページへ誘導する方法。
【発明の概要】
【発明が解決しようとする課題】
【０００７】
上記（１）の方法では、パソコンを有し、パソコンを利用してＷｅｂへ接続する方法を習得している人には、有効であるが、パソコンを有さない場合、パソコンを有していてもパソコンの利用に習熟していない人には有効でない。
【０００８】
上記（２）の方法では、ＱＲコード等の識別コードをテレビ画面上に表示する位置，大きさが限定され、テレビＣＭ中に識別コードを画面に表示した場合、短時間内に識別コードをカメラ付き携帯電話機で撮影することは、容易ではない。また、ラジオ放送では、この方法は用いることができない。
【０００９】
本発明の目的は、ラジオＣＭ，テレビＣＭのいずれにおいても、携帯端末（Ｗｅｂ表示端末）をホームページに誘導するための音響通信方法および装置を提供することにある。
【００１０】
本発明の他の目的は、音響通信方法を用いて、Ｗｅｂ接続情報（ＵＲＬ対応番号）を音響に含ませて送出し、送出された音響を携帯端末に入力して、Ｗｅｂ表示端末をホームページへ誘導する方法および装置を提供することにある。
【課題を解決するための手段】
【００１１】
本発明の音響通信方法および装置では、可聴音を利用した音響通信を用いる。音響通信を用いる理由は、既存の機器を利用することを可能にし、特別な機器を作製する必要がないためである。これに対し、電波を利用する通信の場合には、専用の送信機器，受信機器が必要になる。
【００１２】
音響通信では、Ｗｅｂ接続情報をスピーカにて可聴音（２０Ｈｚ〜２０ｋＨｚ）の音響で送出し、マイクロフォンで受けることにより、Ｗｅｂ接続情報の伝達を行う。送信側の機器にはスピーカを有するラジオまたはテレビなどの音響出力機器を、受信側の機器には、マイクロフォンを有する携帯電話機などの携帯端末を用いる。
【００１３】
本発明のホームページ誘導方法およびシステムでは、伝達するＷｅｂ接続情報は、ホームページアドレスに対応させた番号（ＵＲＬ対応番号）のみである。ＵＲＬ対応番号は、管理センターで管理され、番号からＵＲＬを検出することができる。
【００１４】
放送局から放送される番組中のコマーシャルにＵＲＬ対応番号を含ませておき、ラジオまたはテレビなどの音響出力機器で受信する。音響出力機器が出力するコマーシャル（音響）を携帯電話機などの携帯端末で受けて、携帯端末内でＵＲＬ対応番号を再生し、管理センターに送信する。
【００１５】
管理センターでは、受信した番号に対応するＵＲＬを検出して、携帯端末に送信する。携帯端末は受信したＵＲＬに接続して、携帯端末のユーザをホームページに誘導する。
【発明の効果】
【００１６】
本発明の音響通信方法および装置では、可聴音で情報（ＵＲＬ対応番号）を伝達するので、スピーカ，マイクロフォンを有する機器同士であれば、情報の伝達が可能である。
【００１７】
また、ＵＲＬ対応番号のみの少量の情報伝達を目的としているため、無線通信とは異なり、音響出力機器のスピーカと携帯端末のマイクロフォンとの間を音響通信で簡単に実現できる。
【００１８】
また、本発明のホームページ誘導方法およびシステムでは、特に、ラジオ放送のコマーシャル中に、音データとしてＵＲＬ対応番号を含ませ、音響出力機器から携帯端末へ音響通信でＵＲＬ対応番号を送信するようにしているので、管理センターを介して、携帯端末のユーザを容易にホームページへ誘導することができる。
【００１９】
管理センターで管理されるＵＲＬは、登録制にできるので、コマーシャルの配信者が意図したホームページに確実に誘導できるので、有害サイトへの誘導を未然に防止することが可能となる。また、ＵＲＬ対応番号は管理センターで管理されるので、不正利用を防止することが可能になる。
【図面の簡単な説明】
【００２０】
【図１】本発明のホームページ誘導システムの一形態を示す図である。
【図２】合成音データ作成装置の機能を説明するためのフローチャートである。
【図３】音データの作成を説明するための図である。
【図４】音データと音との対応関係を示す図である。
【図５】同期音データの作成を説明するための図である。
【図６】合成音データの作成を説明するための図である。
【図７】テレビまたはラジオと携帯電話機との間の音響通信を説明するための図である。
【図８】ＵＲＬ対応番号の抽出を説明するための図である。
【図９】音データおよび同期音データの抽出を説明するための図である。
【図１０】ＵＲＬ対応番号の抽出を説明するための図である。
【発明を実施するための形態】
【００２１】
（ホームページ誘導システム）
図１に示すように、本発明のホームページ誘導システムの一形態は、合成音データ作成し、送信信号に含ませて送信する放送機器１０を有する放送局１２と、スピーカを有するラジオ１４またはテレビ１６などの音響出力機器と、マイクロフォンおよびディスプレイを有する携帯電話機１８などの携帯端末と、ＵＲＬ対応番号を管理する管理センター２０とで構成される。
【００２２】
以下の実施の形態の説明では、音響出力機器としてラジオ１４またはテレビ１６を、携帯端末として携帯電話機１８を用いる場合を代表的に説明する。テレビは、画像と音声とを受信し出力するものであるが、本発明は、テレビの出力する音声に対しても適用できるので、音響出力機器に含めるものとする。
【００２３】
現在販売されているほとんどの携帯電話機は、マイクロフォンの利用可能周波数帯域を最大４ｋＨｚ程度に制限しているため、実施の形態では、一例として１００Ｈｚ〜４ｋＨｚの周波数帯でＷｅｂ接続情報を伝達する。
【００２４】
放送局１２の放送機器１０は、合成音データ作成装置２２を有している。合成音データ作成装置２２は、ＵＲＬ対応番号を含む音データと同期音データとを合成した合成音データを作成し、作成した合成音データをコマーシャル中に含ませる機能を有している。
【００２５】
放送局１２は、合成音データを含むコマーシャルのある番組を放送する。
【００２６】
ラジオ１４またはテレビ１６は、番組を受信し、音響に変換して、スピーカにより出力する。
【００２７】
管理センター２０は、あらかじめ登録された番号をＵＲＬ（ホームページアドレス）と対応させて管理し、番号を受信すると対応するＵＲＬを検出し、送信する機能を有している。
【００２８】
携帯電話機１８は、ラジオ１４またはテレビ１６から放送されるコマーシャルを入力し、コマーシャル中に含まれる合成音データを抽出し、合成音データから音データおよび同期音データを抽出し、同期音データのタイミングで抽出された音データからＵＲＬ対応番号を抽出し、ＵＲＬ対応番号を、管理センター２０に送信する機能を有している。
【００２９】
携帯電話機１８は、管理センター２０から送信されてきたＵＲＬを受信し、受信したＵＲＬへ接続し、ディスプレイにホームページを表示する機能を有している。
【００３０】
以上のような構成のホームページ誘導システムにおいて、ラジオ１４またはテレビ１６からコマーシャルが放送されているときに、携帯電話機１８を近づけて、コマーシャルを入力する。
【００３１】
携帯電話機１８は、入力された合成音データからＵＲＬ対応番号を抽出し、抽出したＵＲＬ対応番号を管理センター２０に送信する。
【００３２】
管理センター２０は、携帯電話機１８からＵＲＬ対応番号を受信すると、番号に対応するＵＲＬを検出し、携帯電話機１８に送信する。
【００３３】
携帯電話機１８は、管理センター２０から送信されてきたＵＲＬを受信すると、受信したＵＲＬに接続し、ホームページをディスプレイに表示する。
【００３４】
ホームページ誘導システムの概要は、以上のとおりである。以下に、合成音データ作成装置２２、携帯電話機１８、管理センター２０の各機能を詳細に説明する。
【００３５】
（合成音データ作成装置２２での処理）
放送機器１０が有する合成音データ作成装置２２の機能を、図２のフローチャートに基づいて説明する。
【００３６】
ＵＲＬ対応番号から送信データを作成する（ステップＳ１）。作成された送信データを、音データに変換する（ステップＳ２）。
【００３７】
図３を参照して、音データの作成を説明する。図３（ａ）に示すように、送信データは、６バイトのデータで表わされる。最初の２バイトは、識別コードであり、続く４バイトはＵＲＬ対応番号である。各バイトは、４ビットごとに１６進数が割り当てられている。図示の例では、識別コードに１６進数０，１，２，３を、ＵＲＬ対応番号に１６進数４，５，６，７，８，９，Ａ，Ｂが割り当てられている。
【００３８】
識別コードは、例えば放送がアナログ放送であるかデジタル放送であるか等の識別に用いられる。
【００３９】
次に、図３（ｂ）に示すように、１バイトのチェックコード（Ｆ，Ｆ）を付加する。チェックコードは、６バイトの送信データを排他的論理和（ＸＯＲ）することにより、作成できる。
【００４０】
次に、図３（ｃ）に示すように、チェックコードが付加された送信データを音データに変換する。この変換は、図４に示す音データと音との対応関係に基づいて変換される。図４は、一例としてピアノの音階に相当する音を用いるものとする。
【００４１】
図３（ｃ）において、２バイト（４ビット×４）の識別コードは、ド，レ，ミ，ファの音データに変換され、４バイト（４ビット×８）のＵＲＬ対応番号は、ソ，ラ，シ、１オクターブ上のド，レ，ミ，ファ，ソの音データに変換される。チェックコード（４ビット×２）は、レ，レの音データに変換される。
【００４２】
最後に、図３（ｄ）に示すように、音データの前後に、開始コードおよび終了コードを付加する。開始コードは、シ，シ，シ，シ，ミの音データに変換され、終了コードは、ミ，シ，シ，シ，シの音データに変換される。開始コードおよび終了コードは、送信データ（識別コードおよびＵＲＬ対応番号）の存在の開始と終了を示すデータである。このようにして作成された音データは、合成音データ作成装置２２の音データファイル２４に格納される。
【００４３】
図２に戻り、合成音データ作成装置２２は、作成された音データに対応する同期音データを作成する（ステップＳ３）。同期音データの作成は、図５に示すように、音データファイル２４から音データを読出し、各音データの時間内に入るようにファの音データを設定し、これらファの音データの間はラの音データで埋めるようにする。このようにして作成された同期音データは、合成音データ作成装置２２の同期音データファイル２６に格納される。
【００４４】
図２に戻り、合成音データ作成装置２２は、音データと同期音データとを合成し、合成音データを作成する（ステップＳ４）。図６に示すように、作成された合成音データは、合成音データ作成装置２２の合成音データファイル２８に格納される。
【００４５】
このような合成音データは、ＵＲＬ対応番号毎に作成される。コマーシャル提供者のＵＲＬに対応する番号を含む合成音データは、コマーシャル内に、特に無音の時間に挿入される。
【００４６】
このようなコマーシャルを含む番組は、放送局１２から送信され、ラジオ１４またはテレビ１６で受信される。
【００４７】
次に、ラジオまたはテレビでの処理を説明する。
【００４８】
（ラジオ１４またはテレビ１６での処理）
図７に示すように、ラジオ１４またはテレビオ１６は、放送局１２からコマーシャルを含む番組を受信し、コマーシャルに含まれる合成音データを再生する。再生された合成音データは、スピーカ３０に出力される。
【００４９】
スピーカ３０でコマーシャル（１５秒以下）が放送されているときに、携帯電話機１８のマイクロフォン３２でコマーシャルを入力する。
【００５０】
次に、携帯電話機での処理を説明する。
【００５１】
（携帯電話機１８での処理）
図７に示すように、携帯電話機１８は、マイクロフォン３２でコマーシャル（音響）を入力し、入力した音響を解析しＵＲＬ対応番号を抽出する。
【００５２】
図８を参照して、ＵＲＬ対応番号の抽出を詳細に説明する。まず、携帯電話機１８のマイクロフォン３２で、ラジオ１４またはテレビ１６から放送されるコマーシャル（音響）を入力する（ステップＳ１０）。
【００５３】
次に、携帯電話機１８は、入力された音響をＡ／Ｄ変換し、図９に示す音響入力データファイル３４に格納する（ステップＳ１１）。
【００５４】
次に、音響入力データファイル３４からデジタルに変換された音響信号にハニング等の切出し窓処理を行って、合成音データを抽出する（ステップＳ１２）。
【００５５】
次に、抽出された合成音データにＦＦＴ（フーリエ解析）処理を行って、音データおよび同期音データを抽出する（ステップＳ１３）。図９に示すように、抽出された音データおよび同期音データは、音データファイル３６および同期音データファイル３８にそれぞれ格納される。
【００５６】
次に、図１０に示すように、音データファイル３６および同期音データファイル３８から、音データおよび同期音データを読出す。
【００５７】
読出された音データおよび同期音データを量子化し、レベル判定を行う（ステップＳ１４）。
【００５８】
次に、同期音データに対応する音データを解析し、ＵＲＬ対応番号を抽出する（ステップＳ１５）。図１０に、ＵＲＬ対応番号の抽出について、詳細に示す。図１０に示すように、量子化された音データおよび同期音データから、同期音データのファの音に対応する有効範囲の音データを抽出する。同時に、開始コードおよび終了コードも抽出する。開始コードと終了コードとの間に音データがある。音データは、図３に示したように、２音で１バイトを構成する。
【００５９】
次に、音データを図４に示す対応関係で１６進数に変換する。音データをすべて排他的論理和（ＸＯＲ）し、チェックコードと同じであれば、データに誤りなしと判定される。
【００６０】
誤りのない１６進数のデータは、ＵＲＬ対応番号である。誤りのない１６進数のデータがなければ、ステップＳ１０に戻る（ステップＳ１６）。
【００６１】
携帯電話機１８は、得られたＵＲＬ対応番号を、管理センター２０に送信する。管理センターの処理は後述するが、管理センターからＵＲＬ対応番号に対応するＵＲＬが送信されてくる。
【００６２】
携帯電話機１８は、ＵＲＬを受信すると、ＵＲＬに接続して、ホームページをディスプレイに表示する。これによりユーザは、さらに詳しい商品情報等を入手できる。
【００６３】
次に、管理センター２０の処理について、説明する。
【００６４】
（管理センター２０での処理）
管理センター２０は、ＵＲＬ対応番号とＵＲＬとの対応関係を管理し、送信されたＵＲＬ対応番号を受信し、受信したＵＲＬ対応番号に対応するＵＲＬを検出し送信するＵＲＬ管理装置４０を備えている。
【００６５】
ＵＲＬ管理装置４０は、前述したように、携帯電話機１８から送信されてきたＵＲＬ対応番号を受信すると、対応するＵＲＬを検出して、送信する。
【符号の説明】
【００６６】
１０  放送機器
１２  放送局
１４  ラジオ
１６  テレビ
１８  携帯電話機
２０  管理センター
２２  合成音データ作成装置
２４，３６  音データファイル
２６，３８  同期音データファイル
２８  合成音データファイル
３０  スピーカ
３２  マイクロフォン
３４  音響入力データファイル
４０  ＵＲＬ管理装置
【図１】
0005479223.tif 000002
【図２】
0005479223.tif 000003
【図３】
0005479223.tif 000004
【図４】
0005479223.tif 000005
【図５】
0005479223.tif 000006
【図６】
0005479223.tif 000007
【図７】
0005479223.tif 000008
【図８】
0005479223.tif 000009
【図９】
0005479223.tif 000010
【図１０】
0005479223.tif 000011